(57)【要約】【課題】コンテンツ再生装置において、コンテンツに関する表示がすべて横書きで表示が行われることによる表示の不自然さを解消する。【解決手段】各種の属性情報が付随する複数のコンテンツのファイルを記憶する記憶手段と、属性情報の表示を行う表示手段とを備え、記憶手段により記憶されている各コンテンツのうちの対象となるコンテンツについて、対象となる属性情報を構成する文字列を表示手段において表示するコンテンツ表示装置において、対象となる属性情報のうちの所定のものを構成する文字列における漢字の割合を検出する割合検出手段（ステップ４０）と、割合検出手段により検出した漢字の割合が所定以上の割合であるか否かを判定し（ステップ４１）、所定以上の割合であると判定した場合には、前記所定の属性情報を構成する文字列を縦方向で表示手段により表示する（ステップ４２）制御手段とを設ける。【選択図】図３
2009169721.tif 000002
【特許請求の範囲】
【請求項１】
各種の属性情報が付随する複数のコンテンツのファイルを記憶する記憶手段と、
前記属性情報の表示を行う表示手段とを備え、
前記記憶手段により記憶されている各コンテンツのうちの対象となるコンテンツについて、対象となる属性情報を構成する文字列を前記表示手段において表示するコンテンツ表示装置であって、
前記対象となる属性情報のうちの所定のものを構成する文字列における漢字の割合を検出する割合検出手段と、
前記割合検出手段により検出した漢字の割合が所定以上の割合であるか否かを判定し、所定以上の割合であると判定した場合には、前記所定の属性情報を構成する文字列を縦方向で前記表示手段により表示する制御手段とを具備することを特徴とするコンテンツ表示装置。
【請求項２】
前記割合検出手段が割合を検出する文字列は、前記対象コンテンツの属性情報のうちのタイトル名を構成する文字列であることを特徴とする請求項１に記載のコンテンツ表示装置。
【請求項３】
前記割合検出手段が割合を検出する文字列は、各コンテンツのうち、その属性情報のうちのアルバム名を構成する文字列が前記対象コンテンツと同一である一群のコンテンツのタイトル名を構成する文字列であることを特徴とする請求項１又は２に記載のコンテンツ表示装置。
【請求項４】
前記割合検出手段が割合を検出する文字列は、各コンテンツのうち、その属性情報のうちのアーティスト名を構成する文字列が前記対象コンテンツと同一である一群のコンテンツのタイトル名を構成する文字列であることを特徴とする請求項１又は２に記載のコンテンツ表示装置。
【請求項５】
前記割合検出手段が割合を検出する文字列は、それを構成する文字数が所定数以上のものであることを特徴とする請求項１〜４のいずれか１項に記載のコンテンツ表示装置。
【請求項６】
前記対象コンテンツは、その属性情報のうちのジャンル名が、邦楽のジャンルを含むものであることを特徴とする請求項１〜５のいずれか１項に記載のコンテンツ表示装置。
【請求項７】
前記制御手段は、前記文字列の縦方向表示を、所定以上のサイズの文字を用いて行うものであることを特徴とする請求項１〜６のいずれか１項に記載のコンテンツ表示装置。
【請求項８】
前記制御手段は、前記表示手段に表示する文字の方向に応じて、文字の種類を変更することを特徴とする請求項１〜７のいずれか１項に記載のコンテンツ表示装置。
【請求項９】
請求項１〜８のいずれかのコンテンツ表示装置と、
前記コンテンツ表示装置により表示される属性情報を構成する文字列を選択項目として、該選択項目に係るコンテンツの選択を受け入れる選択手段と、
前記選択手段により選択されたコンテンツのファイルに基づいて該コンテンツの再生を行う再生手段とを具備することを特徴とするコンテンツ再生装置。
【請求項１０】
コンピュータを、請求項１〜８のいずれかのコンテンツ表示装置における各手段として機能させることを特徴とするコンテンツ表示プログラム。
【請求項１１】
各種の属性情報が付随する複数のコンテンツのファイルを記憶する記憶手段と、
前記コンテンツに関する表示を行う表示手段とを備え、
前記記憶手段により記憶されている各コンテンツのうちの対象となるコンテンツについて、対象となる属性情報を構成する文字列を前記表示手段において表示するコンテンツ表示装置におけるコンテンツ表示方法であって、
前記対象となる属性情報のうちの所定のものを構成する文字列における漢字の割合を検出する割合検出工程と、
前記割合検出工程により検出した漢字の割合が所定以上の割合であるか否かを判定し、所定以上の割合であると判定した場合には、前記所定の属性情報を構成する文字列を縦方向で前記表示手段により表示する制御工程とを具備することを特徴とするコンテンツ表示方法。
【発明の詳細な説明】
【技術分野】
【０００１】
本発明は、コンテンツに関する表示を行うコンテンツ表示装置、該コンテンツ表示装置を備えたコンテンツ再生装置、該コンテンツ表示装置としてコンピュータを機能させるコンテンツ表示プログラム、及び該コンテンツ表示装置におけるコンテンツ表示方法に関する。
【背景技術】
【０００２】
従来のハードディスク内蔵型やフラッシュメモリ内蔵型のポータブル再生装置は、図１に示すような構成を有する。すなわちこの装置は同図に示すように、機器各部の制御や必要な情報処理を行う制御部１１、楽曲ファイルを格納する記憶媒体１２、機器に再生機能等を実行させるプログラムを記憶するＲＯＭ（リード・オンリー・メモリ）１３、制御部１１がプログラムをＲＯＭ１３から読み出して実行するためのＲＡＭ（ランダム・アクセス・メモリ）１４、ユーザが制御部１１に対して指示を行うための操作部１５、制御部１１からの音声信号を外部に出力する出力部、及び制御部１１からの画像信号に基づいて画像表示を行う表示部１７を備える。
【０００３】
楽曲ファイルには、アーティスト名、アルバム名、トラック名等のタグ情報が付随している。このタグ情報に基づいて制御部１１は、記録媒体１２中の楽曲ファイルについて、アーティスト名一覧、アルバム名一覧、ジャンル名一覧、各アルバムに属するトラック名の一覧、各ジャンルに属するアーティスト名一覧やアルバム名の一覧、各アーティストに属するアルバム名の一覧等を表示部１７において表示させることができる。
【０００４】
図９は表示部１７において表示される各画面の一例を示す。これらの画面は、ユーザが再生したい楽曲ファイルを選択し、再生を行うために表示されるＧＵＩ（グラフィックユーザインタフェース）画面であり、階層構造を呈している。図９ではその一例として、最上位である同図（ａ）のトップ画面から最下位である同図（ｆ）の再生画面までを示している。トップ画面においては、「アーティスト」、「アルバム」、「ジャンル」、「お気に入り」、及び「設定」の各選択項目が表示される。同図（ａ）中の２１は各選択項目のうちのいずれかを選択するためのカーソルである。
【０００５】
同図（ａ）のトップ画面において、いずれかの選択項目の位置にカーソル２１が位置付けられ、選択キーが押下されることによって、「アーティスト」、「アルバム」、「ジャンル」、「お気に入り」、又は「設定」のいずれかが選択されると、これに応じ、それぞれアーティスト選択画面、アルバム選択画面、ジャンル選択画面、お気に入り選択画面、又は設定画面が表示される。
【０００６】
同図（ｂ）においては、同図（ａ）のトップ画面において「ジャンル」が選択された場合に表示されるジャンル選択画面が示されている。ジャンル選択画面においては、「ロック」、「ジャズ」、「その他」、及び「クラシック」といったジャンル名を選択項目として一覧することができるジャンル名一覧が表示される。ユーザによっていずれかのジャンル名が選択されると、そのジャンル名のジャンルに属するアーティストを選択するためのアーティスト選択画面が表示される。
【０００７】
同図（ｃ）においては、同図（ｂ）のジャンル選択画面において「その他」が選択された場合に表示されるアーティスト選択画面が示されている。この選択画面には「その他」のジャンルに属する各アーティスト名を選択項目として一覧することができるアーティスト一覧が表示される。同図（ｄ）においては、同図（ｃ）のアーティスト選択画面において「演歌歌手３」が選択された場合に表示されるアルバム選択画面が示されている。この選択画面には「演歌歌手３」に属するアルバム名を選択項目として一覧表示するアルバム一覧が表示される。
【０００８】
同図（ｅ）においては、同図（ｄ）のアルバム選択画面において「アルバム３」が選択された場合に表示されるトラック選択画面が示されている。この画面では「アルバム３」に属するトラック名を選択項目として一覧表示するトラック一覧が表示される。同図（ｆ）においては、同図（ｅ）のトラック選択画面において「トラック３」が選択された場合に表示される再生画面が示されている。「トラック３」が選択されると、トラック３の再生が開始されるが、その再生中にこの再生画面が表示される。
【０００９】
なお、楽曲ファイルに関する楽曲名、アーティスト名等の情報を表示する再生装置として、楽曲ファイルの再生中に、その楽曲ファイルついての楽曲名、アーティスト名等の情報を表示するようにしたものは、特許文献１においても開示されている。この文献の再生装置においては、楽曲名、アーティスト名等の表示順序を、シャッフル再生等の再生方法に応じて変更するようにしている。
【００１０】
【特許文献１】特開２００７−１０９３４６号公報
【発明の開示】
【発明が解決しようとする課題】
【００１１】
しかしながら、上述従来技術によれば、図９（ｃ）の場合のように漢字が多く、縦書きが自然であるような表示の場合においても、すべて横書きで表示が行われるので、ユーザによっては表示が不自然であると感じる場合がある。
【００１２】
本発明の目的は、このような従来技術の問題点に鑑み、コンテンツ再生装置において、コンテンツに関する表示がすべて横書きで表示が行われることによる表示の不自然さを解消することにある。
【課題を解決するための手段】
【００１３】
この目的を達成するため、第１の発明に係るコンテンツ表示装置は、各種の属性情報が付随する複数のコンテンツのファイルを記憶する記憶手段と、前記属性情報の表示を行う表示手段とを備え、前記記憶手段により記憶されている各コンテンツのうちの対象となるコンテンツについて、対象となる属性情報を構成する文字列を前記表示手段において表示するコンテンツ表示装置であって、前記対象となる属性情報のうちの所定のものを構成する文字列における漢字の割合を検出する割合検出手段と、前記割合検出手段により検出した漢字の割合が所定以上の割合であるか否かを判定し、所定以上の割合であると判定した場合には、前記所定の属性情報を構成する文字列を縦方向で前記表示手段により表示する制御手段とを具備することを特徴とする。
【００１４】
コンテンツとしては、たとえば映像コンテンツや楽曲コンテンツが該当する。コンテンツのファイルとしては、たとえばＭＰ３、ＷＭＡ、ＭＰＥＧ等の形式のものが該当する。属性情報としては、たとえば、アーティスト名や、アルバム名、ジャンル名が該当する。属性情報を構成する文字列としては、アーティスト名を構成する文字列や、ジャンル情報を構成する「ロック」、「ジャズ」等の文字列が該当する。
【００１５】
この構成において、対象となるコンテンツについて、対象となる属性情報を構成する文字列を表示するに際し、割合検出手段は、対象となる属性情報のうちの所定のものを構成する文字列における漢字の割合を検出する。そして制御手段は、割合検出手段が検出した漢字の割合が所定以上の割合であるか否かを判定し、所定以上の割合であると判定した場合には、前記所定の属性情報を構成する文字列を縦方向で表示する。したがって、所定の属性情報を構成する文字列は、漢字の割合が所定以上の割合である場合、縦方向で表示される。
【００１６】
第２の発明に係るコンテンツ表示装置は、第１発明において、前記割合検出手段が割合を検出する文字列は、前記対象コンテンツの属性情報のうちの、タイトル名を構成する文字列であることを特徴とする。
【００１７】
第３の発明に係るコンテンツ表示装置は、第１又は第２発明において、前記割合検出手段が割合を検出する文字列は、各コンテンツのうち、その属性情報のうちのアルバム名を構成する文字列が前記対象コンテンツと同一である一群のコンテンツのタイトル名を構成する文字列であることを特徴とする。
【００１８】
第４の発明に係るコンテンツ表示装置は、第１又は第２発明において、前記割合検出手段が割合を検出する文字列は、各コンテンツのうち、その属性情報のうちのアーティスト名を構成する文字列が前記対象コンテンツと同一である一群のコンテンツのタイトル名を構成する文字列であることを特徴とする。
【００１９】
第５の発明に係るコンテンツ表示装置は、第１〜第４のいずれかの発明において、前記割合検出手段が割合を検出する文字列は、それを構成する文字数が所定数以上のものであることを特徴とする。
【００２０】
第６の発明に係るコンテンツ表示装置は、第１〜第５のいずれかの発明において、前記対象コンテンツは、その属性情報のうちのジャンル名が、邦楽のジャンルを含むものであることを特徴とする。
【００２１】
第７の発明に係るコンテンツ表示装置は、第１〜第６のいずれかの発明において、前記制御手段は、前記文字列の縦方向表示を、所定以上のサイズの文字を用いて行うものであることを特徴とする。
【００２２】
第８の発明に係るコンテンツ表示装置は、第１〜第７のいずれかの発明において、前記制御手段は、前記表示手段に表示する文字の方向に応じて、文字の種類を変更することを特徴とする。
【００２３】
第９の発明に係るコンテンツ再生装置は、第１〜第８のいずれかの発明に係るコンテンツ表示装置と、前記コンテンツ表示装置により表示される属性情報を構成する文字列を選択項目として、該選択項目に係るコンテンツの選択を受け入れる選択手段と、前記選択手段により選択されたコンテンツのファイルに基づいて該コンテンツの再生を行う再生手段とを具備することを特徴とする。
【００２４】
第１０の発明に係るコンテンツ表示プログラムは、コンピュータを、第１〜第８のいずれかの発明に係るコンテンツ表示装置における各手段として機能させることを特徴とする。
【００２５】
第１１の発明に係るコンテンツ表示方法は、各種の属性情報が付随する複数のコンテンツのファイルを記憶する記憶手段と、前記コンテンツに関する表示を行う表示手段とを備え、前記記憶手段により記憶されている各コンテンツのうちの対象となるコンテンツについて、対象となる属性情報を構成する文字列を前記表示手段において表示するコンテンツ表示装置におけるコンテンツ表示方法であって、前記対象となる属性情報のうちの所定のものを構成する文字列における漢字の割合を検出する割合検出工程と、前記割合検出工程により検出した漢字の割合が所定以上の割合であるか否かを判定し、所定以上の割合であると判定した場合には、前記所定の属性情報を構成する文字列を縦方向で前記表示手段により表示する制御工程とを具備することを特徴とする。
【発明の効果】
【００２６】
本発明によれば、各コンテンツのうちの対象となるコンテンツについて、対象となる属性情報を構成する文字列を表示する際に、該対象となる属性情報のうちの所定のものを構成する文字列における漢字の割合が所定以上の割合である場合には、該所定の属性情報を構成する文字列を縦方向で表示するようにしたため、縦方向表示に適した漢字の割合が多い文字列を、視認しやすく表示することができる。
【発明を実施するための最良の形態】
【００２７】
図１は本発明の一実施形態に係るポータブル再生装置の構成を示すブロック図である。同図に示すように、このポータブル再生装置は、機器各部の制御や必要な情報処理を行う制御部１１、楽曲ファイルを格納する記憶媒体１２、装置に対し各種機能を実行させるプログラムを記憶するＲＯＭ（リード・オンリー・メモリ）１３、制御部１１がプログラムをＲＯＭ１３から読み出して実行するためのＲＡＭ（ランダム・アクセス・メモリ）１４、ユーザが制御部１１に対して指示を行うための操作部１５、制御部１１が音声信号を外部に出力するための出力部１６、及び制御部１１がユーザに対して必要な画像表示を行うための表示部１７を備える。
【００２８】
制御部１１はＣＰＵ（中央処理装置）等によって構成される。記録媒体１２はハードディスクやフラッシュメモリ、磁気テープドライブ、ＭＤ、ＣＤ、ＤＶＤ等のドライブ装置等を用いて構成される。記録媒体１２に格納される楽曲ファイルとしては、たとえば、ＭＰ３（エムペグ−１・オーディオ・レイヤ−３）形式や、ＷＭＡ（ウィンドウズ（登録商標）・メディア・オーディオ）形式のものが該当する。これらの形式の楽曲ファイルには所定の属性情報として、アーティスト名、アルバム名、ジャンル名、トラック名等を含むタグ情報が付随している。ＭＰ３形式のファイルの場合、ＩＤ３タグが用いられている。ＩＤ３タグには、ジャンル名が付加されており、各種楽曲のジャンルに対応している。邦楽の楽曲については、ＩＤ３タグのジャンル名は、「その他」、「Ｊ−ＰＯＰ」等となっている。
【００２９】
このタグ情報に基づいて制御部１１は、記録媒体１２中の楽曲ファイルについて、アーティスト名一覧、アルバム名一覧、ジャンル名一覧、各アルバムに含まれるトラック名の一覧、各ジャンルに属するアーティスト一覧やアルバム名の一覧、各アーティストに属するアルバム名の一覧等を表示部１７において表示させることができる。
【００３０】
ＲＯＭ１３に記憶されているプログラムは、ポータブル再生装置の電源がオン状態になると、制御部１１によってＲＡＭ１４上に読み出され、ポータブル機器を動作させる。すなわち、読み出したプログラムに従い、制御部１１は、各種選択画面を表示し、選択項目の選択を受け入れ、選択に従って楽曲ファイルの再生を行うことができる。
【００３１】
操作部１５は各種操作キーを備える。各種操作キーとしては、たとえば、選択用のカーソルを移動させるための上下左右キーや、再生開始を指示するためのプレイキー、選択の確定を指示するための選択キーが該当する。各操作キーの押圧により発生する押圧信号はＡ／Ｄ変換されて制御部１１に伝えられ、制御部１１を介して装置各部を制御する。出力部１６からは、制御部１１が楽曲ファイルをデコードして得た音声信号が外部へ出力される。
【００３２】
操作部１５及び表示部１７はＧＵＩ（グラフィカル・ユーザ・インタフェース）を構成している。記録媒体１２に記録されている楽曲ファイルは、ＧＵＩを介してユーザが容易にアクセスすることができるように、表示部１７上において、階層的に構成された各種選択画面を介して一覧表示される。その際、制御部１１は、各種選択画面における選択項目を構成するために、楽曲ファイルのタグ情報を解析して使用する。
【００３３】
図２は表示部１７において表示される各画面の一例を示す。これらの画面は、ユーザが再生したい楽曲ファイルを選択し、再生を行う場合に表示されるＧＵＩ（グラフィックユーザインタフェース）画面であり、階層構造を呈している。図２ではその一例として、最上位である同図（ａ）のトップ画面から最下位である同図（ｆ）の再生画面までを示している。同図（ａ）のトップ画面においては、「アーティスト」、「アルバム」、「ジャンル」、「お気に入り」、及び「設定」の各選択項目が表示される。
【００３４】
図中の２１は各選択項目のうちのいずれかを選択するためのカーソルである。カーソル２１が位置する項目はハイライトで表示され、一目で分かるようになっている。カーソル２１の表示位置は操作部１５の上下キーにより上下方向に移動させることができるようになっている。なお、縦書きの選択画面の場合には、左右キーにより左右方に移動させることができる。
【００３５】
同図（ａ）のトップ画面において、「アーティスト」、「アルバム」、「ジャンル」、「お気に入り」、又は「設定」のいずれかの選択項目の位置にカーソル２１が位置付けられ、選択キーが押下されることによって、いずれかの項目が選択されると、制御部１１は選択された項目に対応する下位の画面を表示する。すなわち、「アーティスト」、「アルバム」、「ジャンル」、「お気に入り」、又は「設定」の選択に応じ、それぞれアーティスト選択画面、アルバム選択画面、ジャンル選択画面、お気に入り選択画面、又は設定画面を表示する。
【００３６】
同図（ｂ）においては、同図（ａ）のトップ画面において「ジャンル」が選択された場合に表示されるジャンル選択画面が示されている。ジャンル選択画面においては、「ロック」、「ジャズ」、「Ｊ−ＰＯＰ」、及び「クラシック」といったジャンル名を選択項目として一覧することができるジャンル名一覧が表示される。ユーザによっていずれかのジャンル名が選択されると、そのジャンルに属するアーティストを選択するためのアーティスト選択画面が表示される。
【００３７】
同図（ｃ）においては、同図（ｂ）のジャンル選択画面において「Ｊ−ＰＯＰ」が選択された場合に表示されるアーティスト選択画面が示されている。この選択画面には「Ｊ−ＰＯＰ」のジャンルに属する各アーティスト名を選択項目として一覧することができるアーティスト名一覧が表示される。
【００３８】
同図（ｄ）においては、同図（ｃ）のアーティスト選択画面において「歌手３」が選択された場合に表示されるアルバム選択画面が示されている。この選択画面には、「歌手３」に属するアルバム名を選択項目として一覧表示するアルバム名一覧が表示される。
【００３９】
同図（ｅ）においては、同図（ｄ）のアルバム選択画面において「アルバム３」が選択された場合に表示されるトラック選択画面が示されている。この画面では「アルバム３」に属するタイトル名（トラック名）を選択項目として一覧表示するタイトル名一覧が表示される。
【００４０】
同図（ｆ）においては、同図（ｅ）のトラック選択画面において、３番目のトラックの「漢字平仮名だよ」が選択された場合に表示される再生画面が示されている。「漢字平仮名だよ」が選択されると、当該トラックの再生が開始されるが、その再生中にこの再生画面が表示される。ただし、この場合、選択された選択項目を構成する文字列「漢字平仮名だよ」における漢字の割合が５（漢字数）／７（タイトル文字数）＝７１．４［％］であり、予め定められた閾値６０［％］以上であるため、再生画面の表示は、縦書きで行われる。すなわち、再生中の楽曲のアーティスト名「歌手３」、アルバム名「アルバム３」、及びタイトル名「漢字平仮名だよ」は縦書きで表示される。ただし、再生開始からの経過時間を示す「経過時間００：０３：４６」は数字を含むので、横書きで表示される。
【００４１】
なお、文字列を構成する各文字が漢字であるか否かは、文字列がシフトＪＩＳ漢字コードで表現されている場合には、シフトＪＩＳ漢字コードにおける所定のコード範囲内であるか否かによって判定することができる。すなわち、当該文字のコードの１バイト目が０ｘ８１〜０ｘ９Ｆ、あるいは０ｘＥ０〜０ｘＦＦであれば、そのコードは漢字のコードの１バイト目とみなし、次の１バイトとともに漢字のコードを構成しており、当該文字は漢字であると判定することができる。また、文字列がＥＵＣ漢字コードで表現されている場合には、当該文字のコードの１バイト目が０ｘＡ１〜０ｘＦＥであれば、そのコードは漢字のコードの１バイト目とみなし、次の１バイトと合わせて、そのコードは漢字を構成しており、当該文字は漢字であると判定することができる。
【００４２】
図３は制御部１１による処理の一部を示すフローチャートである。この処理においては上述図２のような縦書き表示を部分的に採用した画面表示を行う。図３の処理は、上述図２（ｂ）のジャンル選択画面を表示する部分から開始している。処理を開始すると、制御部１１は、まず、ステップ３１において、図２（ｂ）のようなジャンル選択画面を表示する。
【００４３】
ジャンル選択画面の表示は、記憶媒体１２中の楽曲ファイルに付随するタグ情報のうちのジャンル名を構成する文字列を重複することなく抽出し、抽出した各文字列を横書きで一覧表示することによって行うことができる。たとえば、記憶媒体１２中に、タグ情報におけるジャンル名として、「ジャズ」及び「クラシック」が付随している楽曲ファイルしか存在しない場合には、「ジャズ」及び「クラシック」が抽出され、一覧表示されることになる。
【００４４】
次に、ステップ３２において、ジャンル選択画面中のいずれかのジャンル名が選択されるのを待機する。いずれかのジャンル名が選択されたことを検出すると、ステップ３３へ進み、選択されたジャンル名が、たとえば「Ｊ−ＰＯＰ」のような邦楽を含むジャンルであるかどうかを判定する。邦楽を含むジャンルであると判定した場合にはステップ３４へ進み、図２（ｃ）のような横書きのアーティスト選択画面を表示する。
【００４５】
アーティスト選択画面の表示は、記憶媒体１２中の楽曲ファイルのうちの選択されたジャンルに属するものに付随するタグ情報のうちアーティスト名を構成する文字列を重複することなく抽出し、抽出した文字列を横書きで一覧表示することによって、行うことができる。たとえば、記憶媒体１２中の楽曲ファイルのうちの「Ｊ−ＰＯＰ」のジャンルに属するものの中に、タグ情報におけるアーティスト名として、「歌手１」及び「歌手２」が付随している楽曲ファイルしか存在しない場合には、「歌手１」及び「歌手２」が抽出され、縦書きで一覧表示されることになる。
【００４６】
次に、ステップ３５において、アーティスト選択画面中のいずれかのアーティスト名が選択されるのを待機する。いずれかのアーティスト名が選択されたことを検出すると、ステップ３６へ進み、選択されたアーティスト名のアーティストに属するアルバムについての図２（ｄ）のような横書きのアルバム選択画面を表示する。
【００４７】
アルバム選択画面の表示は、記憶媒体１２中の楽曲ファイルのうちの選択されたジャンルに属しかつ選択されたアーティスト名に属するものに付随するタグ情報のうち、アルバム名を構成する文字列を重複することなく抽出し、横書きで一覧表示することによって、行うことができる。たとえば、当該選択されたアーティスト名に属する楽曲ファイル中に、タグ情報におけるアルバム名として、「アルバム１」及び「アルバム２」が付随しているものしか存在しない場合には、「アルバム１」及び「アルバム２」が抽出され、横書きで一覧表示されることになる。
【００４８】
次に、ステップ３７において、アルバム選択画面中のいずれかのアルバム名が選択されるのを待機する。いずれかのアルバム名が選択されたことを検出すると、ステップ３８へ進み、選択されたアルバム名のアルバムに属するトラックについての図２（ｅ）のような横書きのトラック選択画面を表示する。トラック選択画面の表示は、当該選択されたアルバム名に属する楽曲ファイルに付随するタグ情報のうち、タイトル名を構成する文字列を抽出し、横書きで一覧表示することによって行うことができる。
【００４９】
次に、ステップ３９において、トラック選択画面中のいずれかのタイトル名が選択されるのを待機する。いずれかのタイトル名が選択されたことを検出すると、ステップ４０へ進み、選択されたタイトル名を構成する文字列における漢字の割合を算出する。次に、ステップ４１において、算出した割合が６割以上であるか否かの判定を行う。６割以上であると判定した場合には、ステップ４２へ進み、選択されたタイトル名のトラックについての図２（ｆ）のような縦書きの再生画面の表示を行い、図３の処理を終了する。この再生画面では、ステップ３５で選択されたアーティスト名、ステップ３７で選択されたアルバム名、及びステップ３９で選択されたタイトル名が縦書きで表示される。この再生画面が表示されている間、選択されたタイトル名のトラックについての再生が行われることになる。
【００５０】
ステップ４１において、６割以上ではないと判定した場合には、ステップ４３へ進み、選択されたタイトル名のトラックについての横書きの再生画面の表示を行い、図３の処理を終了する。この再生画面では、ステップ３５で選択されたアーティスト名、ステップ３７で選択されたアルバム名、及びステップ３９で選択されたタイトル名が横書きで表示される。この再生画面が表示されている間、選択されたタイトル名のトラックについての再生が行われることになる。
【００５１】
一方、ステップ３３において、選択されたジャンル名が邦楽を含むジャンルではないと判定した場合には、ステップ４４において、他の選択項目が選択された場合の処理を行う。その後、図３の処理を終了する。
【００５２】
本実施形態によれば、邦楽を含むジャンルが選択された場合、その下位のトラック選択画面において選択されたタイトル名を構成する文字列における漢字の割合に応じて再生画面を縦書き又は横書きで表示するようにしたため、再生画面において、漢字の割合が多い文字列を視認しやすく表示することができる。
【００５３】
なお、上述にように、縦書き表示又は横書き表示のいずれを採用するかを判定するための漢字割合の閾値が６０［％］であるとすると、楽曲タイトルを構成する文字数が、たとえば３文字のように少ない場合、そのうち２文字が漢字であっても、漢字の割合は６６．７％となり、縦書き表示の対象となるが、特に漢字割合が多くないアーティストの楽曲であっても、そのような割合となることは多い。このため、漢字割合を検出する対象となる文字列を、たとえば６文字以上の文字列に限定するようにしてもよい。
【００５４】
図４は表示部１７において表示される画面の別の例を示す。これらの画面も、ユーザが再生したい楽曲ファイル（楽曲）を選択するためのＧＵＩ画面であり、階層構造を呈している。図４ではその一例として、最上位である同図（ａ）のトップ画面から最下位である同図（ｆ）の再生画面までについて、図２の場合と同様の楽曲ファイルを対象として、同様の選択が行われた場合について示している。同図（ａ）〜（ｄ）及び（ｆ）の画面は図２（ａ）〜（ｄ）及び（ｆ）の画面と同様である。図４（ｅ）の画面は、図２（ｅ）の画面の場合とは、表示内容においては同じであるが、文字列の表示方向が異なる。すなわち図４（ｅ）の画面では、図２（ｅ）の画面の場合とは異なり、各文字列は縦書きで表示されている。
【００５５】
すなわち、図４（ｄ）のアルバム選択画面において、「アルバム３」が選択されたときに、そのアルバムに属するタイトル名を構成する文字列における漢字の割合が、予め定められた閾値である６０［％］以上であるため、同図（ｅ）のトラック選択画面は、縦書きで表示されている。具体的には、同図（ｅ）において表示される文字列の場合、漢字の割合は、１８（漢字数）／２４（タイトル文字数）＝７５［％］となり、６０［％］を超えている。
【００５６】
また、この漢字割合の算出に際しては、当該アルバム内における所定文字数以上のタイトル名のみを対象として行うようにしてもよい。たとえば、上述のように算出対象とする文字列を６文字以上のものに限定する場合には、同図（ｅ）において表示される文字列については、３曲目の「漢字平仮名だよ」及び４曲目の「片仮名テーマ」が算出対象に該当する。この場合、漢字の割合は、８（漢字数）／１３（タイトル文字数）＝６１．５［％］となる。したがって、漢字割合の閾値が６０％であるとすると、トラック選択画面、及びこの画面で選択されたタイトルの楽曲の再生画面が縦表示となる。なお、同図（ｅ）のトラック選択画面において、画面上に現れていない文字列、すなわち画面をスクロールすることによって現れる文字列がある場合、漢字の割合はこれらの文字列を含めて算出される。
【００５７】
図５は制御部１１による別の処理の一部を示すフローチャートである。この処理では、上述図４のようなＧＵＩ画面が表示される。図３の処理では、トラック選択画面において選択されたタイトル名について漢字の割合の算出を行い、その結果に応じて再生画面の表示を縦書き又は横書きで行うようにしているのに対し、図５の処理では、アルバム選択画面において選択されたアルバムに属するタイトル名について漢字の割合の算出を行い、その結果に応じて、トラック選択画面及び再生画面の表示を縦書き又は横書きで行うようにしている。他の点については図３の処理と同様であり、図３のステップ３１〜３７及び４４は図５のステップ５１〜５７及び６６と同じである。
【００５８】
すなわち、図５の処理において、図３の場合と同様にしてステップ５１〜５６の処理を行った後、ステップ５７においてアルバムの選択が行われたことを検出すると、ステップ５８に進み、選択されたアルバムに属するタイトル名を構成する文字列について漢字の割合を算出する。この算出の方法は、上述したとおりである。
【００５９】
次に、ステップ５９において、算出した漢字の割合が６割以上であるかどうかを判定する。６割以上であると判定した場合には、ステップ６０へ進み、図４（ｅ）に示されるような縦書きのトラック選択画面の表示を行う。さらに、ステップ６１においてトラック選択画面を介してタイトル名の選択が行われるのを待機する。そして、タイトル名の選択が行われると、ステップ６２において、図４（ｆ）に示されるような縦書きの再生画面の表示を行い、図５の処理を終了する。
【００６０】
一方、ステップ５９において、算出した漢字の割合が６割以上ではないと判定した場合には、ステップ６３へ進み、横書きのトラック選択画面の表示を行う。さらに、ステップ６４においてトラック選択画面を介してタイトル名の選択が行われるのを待機する。そして、タイトル名の選択が行われると、ステップ６５において、横書きの再生画面の表示を行い、図５の処理を終了する。
【００６１】
図４及び図５の実施形態によれば、トラック選択画面のタイトル名を構成する文字列における漢字の割合が所定以上の場合にトラック選択画面及び再生画面を縦書きで表示するようにしたため、これらの画面において、縦書きで表示するのに適した文字列を、視認しやすく表示することができる。
【００６２】
図６は表示部１７において表示される画面のさらに別の例を示す。これらの画面も、ユーザが再生したい楽曲を選択するためのＧＵＩ画面であり、階層構造を呈している。図６では、その一例として、最上位である同図（ａ）のトップから最下位である同図（ｆ）の再生画面までについて示している。同図（ａ）の画面は図２（ａ）の画面と同様である。
【００６３】
図６（ｂ）においては、同図（ａ）のトップ画面において「ジャンル」が選択された場合に表示されるジャンル選択画面が示されている。ジャンル選択画面においては、「ロック」、「ジャズ」、「その他」、及び「クラシック」といったジャンル名を選択項目として一覧することができるジャンル名一覧が表示される。ユーザによっていずれかのジャンル名が選択されると、そのジャンルに属するアーティストを選択するためのアーティスト選択画面が表示される。
【００６４】
同図（ｃ）においては、同図（ｂ）のジャンル選択画面において「その他」が選択された場合に表示されるアーティスト選択画面が示されている。この選択画面には「その他」のジャンルに属する各アーティスト名を選択項目として一覧することができるアーティスト名一覧が表示される。ジャンル「その他」は演歌等の邦楽を含むものである。
【００６５】
同図（ｄ）においては、同図（ｃ）のアーティスト選択画面において「演歌歌手３」が選択された場合に表示されるアルバム選択画面が示されている。この選択画面には、「演歌歌手３」に属するアルバム名を選択項目として一覧表示するアルバム名一覧が表示される。ただしここでは、アーティスト名「演歌歌手３」に属するアルバム名に含まれるタイトル名を構成する文字列における漢字の割合が、予め定められた閾値である６０［％］以上であるため、このアルバム選択画面は縦書きで表示されている。
【００６６】
たとえば、「演歌歌手３」に属するアルバム名が同図（ｄ）のように「アルバム１」〜「アルバム５」であり、これらのアルバム名に含まれるタイトル名の総数が６３であり、これらのタイトル名に含まれる文字数が３９１であり、そのうちの漢字の数が２６４であるとすると、漢字の割合は、６７．５［％］となる。この場合、閾値６０［％］を超えているので、アルバム選択画面は縦書きで表示されることになる。
【００６７】
アルバム選択画面が縦書きで表示される場合、その下位の画面であるトラック選択画面及び再生画面も、同図（ｅ）及び同図（ｆ）において示されるように、縦書きで表示される。同図（ｅ）のトラック選択画面は、同図（ｄ）のアルバム選択画面において「アルバム３」が選択された場合に表示される画面であり、同図（ｆ）の再生画面は、同図（ｅ）のトラック選択画面において「トラック３」が選択された場合に表示される画面である。
【００６８】
図７は制御部１１によるさらに別の処理の一部を示すフローチャートである。この処理では、上述図６のようなＧＵＩ画面が表示される。図７の処理は、上述図６（ｂ）のジャンル選択画面を表示する処理から開始している。処理を開始すると、制御部１１は、まずステップ７１において、図６（ｂ）のようなジャンル選択画面を表示する。この表示は、図３のステップ３１の場合と同様にして行うことができる。
【００６９】
次に、ステップ７２において、ジャンル選択画面中のいずれかのジャンル名が選択されるのを待機する。いずれかのジャンル名が選択されたことを検出すると、ステップ７３へ進み、選択されたジャンル名が、たとえば「その他」のような邦楽を含むジャンルであるかどうかを判定する。邦楽を含むジャンルであると判定した場合にはステップ７４へ進み、図６（ｃ）のような横書きのアーティスト選択画面を表示する。アーティスト選択画面の表示は、図３のステップ３４の場合と同様にして行うことができる。
【００７０】
次に、ステップ７５において、アーティスト選択画面中のいずれかのアーティスト名が選択されるのを待機する。いずれかのアーティスト名が選択されたことを検出すると、ステップ７６へ進み、選択されたアーティスト名に属するアルバム名に含まれるタイトル名を構成する文字列における漢字の割合を算出する。算出方法は上述したとおりである。次に、ステップ７７において、算出した割合が６割以上であるか否かの判定を行う。６割以上であると判定した場合には、ステップ７８へ進み、選択されたアーティスト名のアーティストに属するアルバムについての図６（ｄ）のような縦書きのアルバム選択画面を表示する。アルバム選択画面の表示は、縦書き表示とする以外は、図３のステップ３６の場合と同様にして行うことができる。
【００７１】
次に、ステップ７９において、アルバム選択画面中のいずれかのアルバム名が選択されるのを待機する。いずれかのアルバム名が選択されたことを検出すると、ステップ８０へ進み、選択されたアルバム名のアルバムに属するトラックについての図６（ｅ）のような縦書きのトラック選択画面を表示する。トラック選択画面の表示は、当該選択されたアルバム名に属する楽曲ファイルに付随するタグ情報のうち、タイトル名を構成する文字列を抽出し、縦書きで一覧表示することによって行うことができる。
【００７２】
次に、ステップ８１において、トラック選択画面中のいずれかのタイトル名が選択されるのを待機する。いずれかのタイトル名が選択されたことを検出すると、ステップ８２へ進み、選択されたタイトル名のトラックについての図６（ｆ）のような縦書きの再生画面の表示を行い、図７の処理を終了する。この再生画面では、ステップ７５で選択されたアーティスト名、ステップ７９で選択されたアルバム名、及びステップ８１で選択されたタイトル名が縦書きで表示される。この再生画面が表示されている間、選択されたタイトル名のトラックについての再生が行われることになる。
【００７３】
ステップ７７において、６割以上ではないと判定した場合には、ステップ８３〜８７において、表示を横書きで行う以外は、ステップ７８〜８２と同様にして、選択画面及び再生画面の表示及び選択の受入れを行い、図７の処理を終了する。
【００７４】
一方、ステップ７３において、選択されたジャンル名が邦楽を含むジャンルではないと判定した場合には、ステップ８８において、他の選択項目が選択された場合の処理を行う。その後、図７の処理を終了する。
【００７５】
本実施形態によれば、ジャンル選択画面において邦楽を含むジャンルが選択された場合、その下位のアーティスト選択画面において選択されたアーティスト名に属するタイトル名を構成する文字列における漢字の割合に応じて、その下位のアルバム選択画面、トラック選択画面、及び再生画面を縦書き又は横書きで表示するようにしたため、漢字の割合が多い文字列を視認しやすく表示することができる。
【００７６】
図８は表示部１７において表示される画面の他の例を示す。これらの画面も、ユーザが再生したい楽曲を選択するためのＧＵＩ画面であり、階層構造を呈している。図８では、その一例として、最上位である同図（ａ）のトップから最下位である同図（ｆ）の再生画面までについて示している。同図（ａ）〜（ｆ）の各画面は、図６（ａ）〜（ｆ）の各画面と、その内容及び文字列の配置方向においては同様である。異なるのは、図８（ｄ）〜（ｆ）における縦書き文字のサイズが、図６（ｄ）〜（ｆ）における縦書き文字のサイズより大きい所定のサイズとなっている点である。他の点については図６の場合と同様であり、画面表示処理は図７の場合と同様にして行われる。
【００７７】
なお、本発明は上述実施形態に限定されることなく、適宜変形して実施することができる。たとえば、横書き表示に用いるフォントに対して、縦書き表示に用いるフォントを変えてもよい。たとえば、縦書きを採用する場合には、毛筆体などの縦書きの効果を強調するようなフォントを用いてもよい。
【００７８】
また、上述においては、縦書きとするか横書きとするかを判定するための漢字の割合についての閾値を６０［％］としているが、この代わりに、７０［％］や７５［％］以上等の閾値を採用するようにしてもよい。また、このような閾値をユーザが設定又は変更することができるようにしてもよい。
【００７９】
また、一旦、選択されたアルバム名やアーティスト名に属するタイトル名における漢字の割合が大きいために上述の選択画面における縦表示を行った場合、そのアルバムやアーティストについては、その後、それらに属するタイトル名における漢字の割合が大きい場合でも、そのような縦表示を行わないように、ユーザが登録を行うことができるようにしてもよい。
【００８０】
また、上記邦楽を含むジャンルとしては、たとえば、演歌や歌謡曲など一般的に漢字表記の多い楽曲タイトルを含むものとして、たとえばＣＤＤＢなどの楽曲データベースにおいて区分けされている所定のジャンルのみが該当するものとしてもよい。
【００８１】
また、上記邦楽を含むジャンルとして一般的なジャンル分けを例として説明したが、ジャンルがユーザ設定可能であったり漢字対応可能である場合には、「演歌」や「歌謡曲」などのジャンルを、上記邦楽を含むジャンルに含めるようにしてもよい。
【図面の簡単な説明】
【００８２】
【図１】図１は本発明の一実施形態に係るポータブル再生装置の構成を示すブロック図である。
【図２】図１の装置の表示部において表示される各画面の一例を示す図である。
【図３】図１の装置の制御部による処理の一部を示すフローチャートである。
【図４】図１の装置の表示部において表示される画面の別の例を示す図である。
【図５】図１の装置の制御部による別の処理の一部を示すフローチャートである。
【図６】図１の装置の表示部において表示される画面のさらに別の例を示す図である。
【図７】図１の装置の制御部によるさらに別の処理の一部を示すフローチャートである。
【図８】図１の装置の表示部において表示される画面の他の例を示す図である。
【図９】従来のポータブル再生装置の表示部において表示される各画面の一例を示す図である。
【符号の説明】
【００８３】
１１：制御部、１２：記憶媒体、１３：ＲＯＭ、１４：ＲＡＭ、１５：操作部、１６：出力部、１７：表示部、２１：カーソル。
【図１】
2009169721.tif 000003
【図２】
2009169721.tif 000004
【図３】
2009169721.tif 000005
【図４】
2009169721.tif 000006
【図６】
2009169721.tif 000007
【図５】
2009169721.tif 000008
【図７】
2009169721.tif 000009
【図８】
2009169721.tif 000010
【図９】
2009169721.tif 000011